(57)【要約】【課題】塩水供給量を容易に変更することができる軟水装置の塩水供給装置を提供すること。【解決手段】塩Ｓを収容可能な塩収容部７ａ、及び塩Ｓと外部から供給される補給水とから生成される塩水を貯留する塩水貯留部７ｂを内部に有する塩水タンク７と、塩水タンク７の内部に配置され、水面ＷＳに浮上可能なフロート１０と、塩収容部７ａと区画しかつフロート１０を覆うように塩水タンク７の内部に配置される区画部材であって、この区画部材の内部と塩水貯留部７ｂとを流通させる流通穴１６を有する区画パイプ１５と、流通穴１６と塩水タンク７の外部とを連通する連通路３６、及びフロート１０又は水面ＷＳの位置に応じて連通路３６を開閉する弁体としてのストッパ３７及びフロートボール３８を有する塩水バルブ２０とを備え、区画パイプ１５は、塩水バルブ２０に対して上下動自在に構成される。【選択図】図３
2011031214.tif 000002
【特許請求の範囲】
【請求項１】
塩を収容可能な塩収容部、及び該塩と外部から供給される補給水とから生成される塩水を貯留する塩水貯留部を内部に有する塩水タンクと、
前記塩水タンクの内部に配置され、水面に浮上可能なフロートと、
前記塩収容部と区画しかつ前記フロートを覆うように前記塩水タンクの内部に配置される区画部材であって、該区画部材の内部と前記塩水貯留部とを流通させる流通穴を有する区画部材と、
前記流通穴と前記塩水タンクの外部とを連通する連通路、及び前記フロート又は前記水面の位置に応じて該連通路を開閉する弁体を有する塩水バルブとを備え、
前記区画部材は、前記塩水バルブに対して上下動自在に構成されることを特徴とする軟水装置の塩水供給装置。
【請求項２】
前記塩水バルブは、外面に第１係合部を有し、
前記区画部材は、前記第１係合部に係合しかつ該第１係合部に沿って移動可能な第２係合部を内面に有し、該第２係合部を該第１係合部に係合させて前記塩水バルブに接続されており、
前記塩水バルブの前記外面と前記区画部材の前記内面との間の隙間を塞ぐシール部材を更に備えることを特徴とする請求項１に記載の軟水装置の塩水供給装置。
【請求項３】
前記塩水バルブは、前記第１係合部における前記第２係合部の移動方向に沿った端部に、該第２係合部の移動を規制する規制部を有することを特徴とする請求項２に記載の軟水装置の塩水供給装置。
【請求項４】
前記塩水バルブの前記連通路に、前記補給水及び前記塩水に含まれる不純物を濾過するフィルタを更に備えることを特徴とする請求項１から３のいずれかに記載の軟水装置の塩水供給装置。
【請求項５】
前記フロートと前記塩水バルブの前記弁体とを連結する連結軸部材を更に備え、
前記フロートは、前記連結軸部材の軸方向に対して移動自在に構成されることを特徴とする請求項１から４のいずれかに記載の軟水装置の塩水供給装置。
【発明の詳細な説明】
【技術分野】
【０００１】
本発明は、硬度成分を含む水道水等の原水を軟水化処理する軟水装置に、再生用の塩水を供給する軟水装置の塩水供給装置に関する。
【背景技術】
【０００２】
従来より、軟水装置は、水道水等の原水に含まれる硬度成分を、イオン交換樹脂を用いて吸着除去する軟水化処理を行うことによって、軟水を生成している。このような軟水化処理が継続して行われると、イオン交換樹脂は、硬度成分の吸着能力が次第に低下し、遂には、硬度成分を除去できなくなる。そのため、この吸着能力が低下する前に、イオン交換樹脂に塩水（例えば、塩化ナトリウム水溶液）を作用させて吸着能力を回復させる再生処理を行っている。
【０００３】
近年においては、前述のような原水の軟水化処理とイオン交換樹脂の再生処理とを自動的に交互に繰り返すように構成した軟水装置が提供されている。このような軟水装置は、原水の軟水化処理を行うイオン交換樹脂を収容した樹脂筒と、軟水化処理と再生処理の切り換えの際に原水又は塩水の流路を自動的に切り換えるコントロールバルブと、イオン交換樹脂を再生する塩水を樹脂筒に供給する塩水供給装置と、を備えている（例えば、特許文献１参照）。
【０００４】
塩水供給装置は、塩水タンク、フロート、パイプ部材及び塩水バルブを備える。塩水タンクは、塩を収容可能な塩収容部、及び塩と外部から供給される補給水（例えば、原水）とから生成される塩水を貯留する塩水貯留部を内部に有する。フロートは、塩水タンクの内部に配置され、水面に浮上可能なものである。
【０００５】
パイプ部材は、塩収容部と区画しかつフロートを覆うように塩水タンクの内部に配置され、パイプ部材の内部と塩水貯留部とを流通させる流通穴を有する。パイプ部材における流通穴の位置は、再生処理時に樹脂筒に供給される塩水量を規定する。
また、塩水バルブは、流通穴と塩水タンクの外部とを連通する連通路、及びフロートの位置に応じて連通路を開閉する弁体を有する。パイプ部材は、塩水バルブ、塩水タンクの底部等に固定されている。
【０００６】
再生処理時には、軟水装置は、コントロールバルブによって再生処理時の流路に切り換え、塩水タンクから塩水を樹脂筒内に導入してイオン交換樹脂を再生する。再生処理の後には、軟水装置は、次回の再生処理時に供給する塩水を生成するために、塩水タンクに補給水を供給（補水）する。この補給水に塩収容部の塩が溶解し、所定濃度の塩水が生成される。
【０００７】
ところで、軟水装置における塩水使用量（再生１回当たりの塩水使用量）は、再生処理の頻度等によって異なり、軟水装置のユーザ等の使用環境によって異なる。そのため、軟水装置のユーザ等の使用環境に応じて塩水供給量を変更（調整）することができる塩水供給装置が望まれていた。
【先行技術文献】
【特許文献】
【０００８】
【特許文献１】特開２００７−２６０５７４号公報
【発明の概要】
【発明が解決しようとする課題】
【０００９】
しかし、特許文献１に記載の技術によれば、再生処理において供給可能な塩水量は、塩水供給装置の製造時におけるパイプ部材の流通穴の位置によって規定されている。そのため、軟水装置のユーザ等が、使用環境に応じて流通穴の位置を変更し、塩水供給量を変更することは困難であった。
【００１０】
従って、本発明は、塩水供給量を容易に変更することができる軟水装置の塩水供給装置を提供することを目的とする。
【課題を解決するための手段】
【００１１】
本発明は、塩を収容可能な塩収容部、及び該塩と外部から供給される補給水とから生成される塩水を貯留する塩水貯留部を内部に有する塩水タンクと、前記塩水タンクの内部に配置され、水面に浮上可能なフロートと、前記塩収容部と区画しかつ前記フロートを覆うように前記塩水タンクの内部に配置される区画部材であって、該区画部材の内部と前記塩水貯留部とを流通させる流通穴を有する区画部材と、前記流通穴と前記塩水タンクの外部とを連通する連通路、及び前記フロート又は前記水面の位置に応じて該連通路を開閉する弁体を有する塩水バルブとを備え、前記区画部材は、前記塩水バルブに対して上下動自在に構成される軟水装置の塩水供給装置に関する。
【００１２】
また、本発明は、前記塩水バルブは、外面に第１係合部を有し、前記区画部材は、前記第１係合部に係合しかつ該第１係合部に沿って移動可能な第２係合部を内面に有し、該第２係合部を該第１係合部に係合させて前記塩水バルブに接続されており、前記塩水バルブの前記外面と前記区画部材の前記内面との間の隙間を塞ぐシール部材を更に備えることが好ましい。
【００１３】
また、本発明は、前記塩水バルブは、前記第１係合部における前記第２係合部の移動方向に沿った端部に、該第２係合部の移動を規制する規制部を有することが好ましい。
【００１４】
また、本発明は、前記塩水バルブの前記連通路に、前記補給水及び前記塩水に含まれる不純物を濾過するフィルタを更に備えることが好ましい。
【００１５】
また、本発明は、前記フロートと前記塩水バルブの前記弁体とを連結する連結軸部材を更に備え、前記フロートは、前記連結軸部材の軸方向に対して移動自在に構成されることが好ましい。
【発明の効果】
【００１６】
本発明によれば、塩水供給量を容易に変更することができる軟水装置の塩水供給装置を提供することができる。
【図面の簡単な説明】
【００１７】
【図１】本発明の一実施形態の塩水供給装置４を含む軟水装置１を示す概略構成図である。
【図２】本実施形態の塩水供給装置４の全体構成を示す断面図である。
【図３】フロート１０、区画パイプ１５及び塩水バルブ２０の全体構成を示す拡大断面図である。
【図４】塩水バルブ２０を示す拡大断面図である。
【図５】塩水バルブ２０の螺旋溝部２６を示す側面図である。
【図６】区画パイプ１５の突起部１８を示す部分斜視図である。
【図７】再生工程における塩水バルブ２０を示す拡大断面図である。
【図８】再生工程の終了時における塩水バルブ２０を示す拡大断面図である。
【図９】補水工程における塩水バルブ２０を示す拡大断面図である。
【図１０】補水工程の終了時における塩水バルブ２０を示す拡大断面図である。
【図１１】（ａ）から（ｃ）は、水面ＷＳに対する流通穴１６の位置を変更する過程を示す図である。
【図１２】本実施形態の変形例のフロート６０を示す拡大断面図である。
【発明を実施するための形態】
【００１８】
以下に、本発明の一実施形態について図面を参照しながら説明する。先ず、本発明の一実施形態の塩水供給装置を含む軟水装置の概略構成について、図１を参照しながら説明する。図１は、本発明の一実施形態の塩水供給装置４を含む軟水装置１を示す概略構成図である。
【００１９】
図１に示すように、軟水装置１は、イオン交換樹脂（図示せず）を収容し水道水等の原水の軟水化処理を行う樹脂筒２と、軟水装置１の軟水化処理と再生処理とを切り換えるコントロールバルブ３と、塩水を生成し樹脂筒２に供給する塩水供給装置４と、ドレン水排出部５と、原水導入ラインＬ１と、原水ラインＬ２と、処理水ラインＬ３と、通水ラインＬ３ａと、塩水ラインＬ４と、ドレン水排出ラインＬ５と、を主体に構成されている。
【００２０】
樹脂筒２は、イオン交換樹脂（図示せず）を収容する。樹脂筒２は、このイオン交換樹脂によって、原水に含まれる硬度成分（カルシウムイオン及びマグネシウムイオン）をナトリウムイオンで置換し、処理水（軟水）を生成する軟水化処理を行う。
樹脂筒２は、原水ラインＬ２、処理水ラインＬ３及び通水ラインＬ３ａによってコントロールバルブ３と接続されている。また、樹脂筒２は、処理水ラインＬ３によって、需要部（例えば、シャワーヘッド等の水使用機器）６と接続されており、生成した処理水（軟水）を需要部６に供給する。
【００２１】
コントロールバルブ３は、軟水装置１が軟水化処理及び再生処理を行う際、流体（原水や塩水等）の流路を切り換え可能に構成されている。コントロールバルブ３は、複数の流路（図示せず）、これらの流路を開閉するバルブ（図示せず）及びエゼクタ（図示せず）等を備える。
【００２２】
前記複数の流路は、原水導入ラインＬ１、原水ラインＬ２、通水ラインＬ３ａ、塩水ラインＬ４及びドレン水排出ラインＬ５と接続されている。また、前記複数の流路は、通水ラインＬ３ａを介して処理水ラインＬ３と接続されている。
【００２３】
前記複数のバルブは、図示しない制御部によって、所定条件に基づいて開閉制御される。前記制御部は、ユーザによる軟水化処理の開始操作等に基づいて前記複数のバルブを開閉制御し、軟水化処理に適した流路に切り換える。また、前記制御部は、所定条件に基づいて前記複数のバルブを制御し、再生処理に適した流路に切り換える。再生処理の詳細については、後述する。
【００２４】
前記エゼクタは、前記複数のバルブが制御され、所定の流路に原水が流通されることにより負圧を発生する。コントロールバルブ３は、この負圧を利用することによって、塩水供給装置４で生成された塩水を吸引し、通水ラインＬ３ａ及び処理水ラインＬ３を介して樹脂筒２に供給する。
【００２５】
塩水供給装置４は、塩水を生成し、樹脂筒２に供給するものであり、詳細については後述する。
【００２６】
ドレン水排出部５は、塩水タンク７に取り付けられた通水路であり、樹脂筒２のイオン交換樹脂の再生処理によって排出されるドレン水を軟水装置１の系外に排出する。
【００２７】
原水導入ラインＬ１は、コントロールバルブ３に接続され、軟水装置１の系外から原水をコントロールバルブ３に導入する。
原水ラインＬ２は、コントロールバルブ３と樹脂筒２とを接続し、軟水化処理時にコントロールバルブ３を流通する原水を、樹脂筒２に導入する。また、原水ラインＬ２は、樹脂筒２の再生工程（後述）時に樹脂筒２を流通した塩水（ドレン水）を、コントロールバルブ３に導入する。更に、原水ラインＬ２は、樹脂筒２の押出工程（後述）時に樹脂筒２を流通した原水（ドレン水）を、コントロールバルブ３に導入する。
【００２８】
処理水ラインＬ３は、樹脂筒２と需要部６とを接続し、樹脂筒２で生成された処理水（軟水）を需要部６に通水する。また、処理水ラインＬ３は、樹脂筒２の再生工程（後述）時に塩水供給装置４で生成されコントロールバルブ３及び通水ラインＬ３ａを経た塩水を、樹脂筒２に導入する。
更に、処理水ラインＬ３は、樹脂筒２の押出工程（後述）時にコントロールバルブ３に導入され通水ラインＬ３ａを経た原水を、樹脂筒２に導入する。
【００２９】
通水ラインＬ３ａは、処理水ラインＬ３とコントロールバルブ３とを接続する。通水ラインＬ３ａは、樹脂筒２の再生工程（後述）時にコントロールバルブ３を流通した塩水を、処理水ラインＬ３に通水する。また、通水ラインＬ３ａは、樹脂筒２の押出工程（後述）時にコントロールバルブ３に導入された原水を、処理水ラインＬ３に通水する。
【００３０】
塩水ラインＬ４は、塩水供給装置４とコントロールバルブ３とを接続する。塩水ラインＬ４は、再生工程（後述）時に塩水供給装置４で生成された塩水を、コントロールバルブ３に導入する。また、塩水ラインＬ４は、軟水化処理時にコントロールバルブ３に導入された原水の一部を、塩水供給装置４に導入する。
【００３１】
ドレン水排出ラインＬ５は、コントロールバルブ３とドレン水排出部５とを接続する。樹脂筒２の再生工程（後述）時や押出工程（後述）時に、樹脂筒２から排出されるドレン水は、原水ラインＬ２を介してコントロールバルブ３に導入される。コントロールバルブ３に導入されたドレン水は、ドレン水排出ラインＬ５を介してドレン水排出部５に通水され、軟水装置１の系外に排出される。
【００３２】
軟水装置１が、例えば、家庭用の軟水装置である場合、再生処理は、再生工程及び押出工程からなることが多い。これらの工程は、コントロールバルブ３による前記流路の切り換え制御によってこの順で行なわれる。
【００３３】
再生工程は、塩水供給装置４で生成された塩水を、塩水ラインＬ４、コントロールバルブ３、通水ラインＬ３ａ及び処理水ラインＬ３を介して樹脂筒２に供給することにより、樹脂筒２内のイオン交換樹脂の硬度除去能力を回復させるものである。押出工程は、再生工程後に原水を、コントロールバルブ３、通水ラインＬ３ａ及び処理水ラインＬ３を介して樹脂筒２内に導入し、樹脂筒２内の塩水を原水によって押し出しながら、イオン交換樹脂の硬度除去能力を更に回復させ、引き続き残留する塩分を洗い流すものである。
【００３４】
塩水供給装置４内の塩水は、再生工程の実施によって一定量消費されるので、この消費量に相当する塩水を塩水供給装置４で生成する必要がある。そのため、例えば、軟水化処理時に、コントロールバルブ３に導入される原水の一部を補給水として、塩水ラインＬ４を介して塩水供給装置４に導入する。補給水には、例えば、原水のほか、樹脂筒２で生成した軟水を使用することができる。
【００３５】
以下の説明においては、補給水を塩水供給装置４に導入する工程を、「補水工程」と称する。これら各工程のうち、本実施形態の塩水供給装置４に直接的に関わるものは、再生工程及び補水工程であるので、再生工程及び補水工程を中心に説明する。
【００３６】
次に、本実施形態の塩水供給装置４について、図２から図６を参照しながら説明する。図２は、本実施形態の塩水供給装置４の全体構成を示す断面図である。図３は、フロート１０、区画パイプ１５及び塩水バルブ２０の全体構成を示す拡大断面図であり、再生工程の開始時の状態を示している。図４は、塩水バルブ２０を示す拡大断面図である。図５は、塩水バルブ２０の螺旋溝部２６を示す側面図である。図６は、区画パイプ１５の突起部１８を示す部分斜視図である。
【００３７】
図２に示すように、塩水供給装置４は、塩水タンク７と、フロート１０と、連結軸部材としてのフロートロッド１１と、区画部材としての区画パイプ１５と、塩水バルブ２０と、シール部材４０と、フィルタ５０と、を備える。
【００３８】
先ず、塩水タンク７について説明する。図２に示すように、塩水タンク７は、有底箱状に構成されている。塩水タンク７は、塩載置プレート８を内部に有する。塩水タンク７の底部には、塩水タンク７の内外を連通する開口部９を有する。塩水タンク７の内部は、塩載置プレート８によって、塩Ｓを収容する塩収容部７ａと、塩水を貯留する塩水貯留部７ｂとに上下に区画されている。塩収容部７ａは、塩水貯留部７ｂの上方に配置されている。
【００３９】
塩載置プレート８は、塩水タンク７の底部から上方に離間して配置される。塩載置プレート８は、塩Ｓを載置可能に構成され、例えば、透水性を有する多孔板等からなる。塩載置プレート８は、塩水の水面ＷＳの上限位置よりも下方に配置されている。つまり、塩載置プレート８は、塩載置プレート８上の塩Ｓ（塩収容部７ａに収容された塩Ｓ）が、塩水タンク７内の水（塩水貯留部７ｂに貯留された水）に溶解可能となるように配置されている。
【００４０】
塩水タンク７の開口部９の開口周縁部には、塩水タンク７の内方に向かって凹んだ凹部９ａ（図４参照）が形成されている。凹部９ａには、塩水バルブ２０が固定されている。
【００４１】
次に、フロート１０及びフロートロッド１１について説明する。図３に示すように、フロート１０は、塩水タンク７の内部に配置され、水面ＷＳに浮上可能に構成されている。フロート１０は、有底円筒状に構成され、下方に開口部を向けて区画パイプ１５内に配置される。フロート１０は、軸部材（剛体）であるフロートロッド１１の上端部に固定されている。フロート１０は、塩水に対して耐腐食性を有することが好ましく、例えば、ＡＢＳ樹脂や塩化ビニール樹脂等から形成されることが好ましい。
【００４２】
フロートロッド１１は、フィルタ５０に挿通され、フロートロッド１１の下端部において、塩水バルブ２０内に収容された弁体としてのストッパ３７（後述）と接続されている。つまり、フロート１０は、このフロートロッド１１を介して、ストッパ３７と連結されている。
【００４３】
次に、区画パイプ１５について説明する。図３に示すように、区画パイプ１５は、塩収容部７ａと区画し、かつ、フロート１０を覆うように、塩水タンク７の内部に配置される。つまり、区画パイプ１５は、塩収容部７ａの塩Ｓとフロート１０とを区画することにより、フロート１０の軌道空間（上下移動のための空間）を確保する。
【００４４】
区画パイプ１５は、円筒パイプの一端（上端）を閉塞し、他端（下端）を開口して構成されている。図４から図６に示すように、区画パイプ１５は、流通穴１６と、弾性片部１７と、第２係合部としての突起部１８と、を有する。
【００４５】
流通穴１６は、区画パイプ１５の内部と塩水貯留部７ｂとを流通させるものであり、区画パイプ１５の側面の所定位置に設けられている。つまり、区画パイプ１５の内部と塩水貯留部７ｂとは、流通穴１６のみによって連通している。流通穴１６は、塩載置プレート８よりも所定距離下方に配置されている。流通穴１６の開口下端である開口下部１６ａは、水面ＷＳの下限位置を規定する。流通穴１６の形状や数は、任意であるが、本実施形態では、丸穴が１個設けられている。
【００４６】
なお、区画パイプ１５には、塩載置プレート８の上面と塩水の水面ＷＳとの間の位置に、第２の流通穴（図示せず）を設けることが好ましい。この第２の流通穴を設けることにより、塩Ｓの溶解に伴う塩水の比重差に起因して、塩水が流通穴１６及び第２の流通穴を介して循環するようになり、区画パイプ１５の内外で塩水の濃度が均一になる。また、第２の流通穴の開口部には、塩Ｓが区画パイプ１５内に侵入するのを防止するため、通常はフィルタを設けておく。
【００４７】
弾性片部１７は、図６に示すように、区画パイプ１５の他端（下端部）側における側壁に、略Ｌ字状の切込みであるスリット１７ａを設けることによって、帯片状に形成されている。弾性片部１７は、区画パイプ１５の径方向に対して所定の弾性力を有している。図４から図６に示すように、弾性片部１７の先端部の内面には、例えば、円柱状の突起部１８が設けられている。
【００４８】
図４及び図５に示すように、突起部１８は、後述する塩水バルブ２０の螺旋溝部２６に係合し、かつ、螺旋溝部２６に沿って移動可能に形成したものである。突起部１８は、弾性片部１７の先端部の内面に設けられている。
【００４９】
以上のように構成される区画パイプ１５は、塩水に対して耐腐食性を有することが好ましく、例えば、ＡＢＳ樹脂や塩化ビニール樹脂等から形成されることが好ましい。
【００５０】
次に、塩水バルブ２０について図４を参照しながら説明する。塩水バルブ２０は、再生工程において、樹脂筒２（図１参照）への塩水の供給量を、塩水の水面ＷＳの位置に応じて調節する部材である。また、塩水バルブ２０は、再生工程の終了時において、樹脂筒２へ供給される塩水に空気が混入することを抑制する部材である。更に、塩水バルブ２０は、補水工程において、塩水タンク７内への補給水の供給を、塩水の水面ＷＳの位置に応じて調節する部材である。
【００５１】
図４に示すように、塩水バルブ２０は、外筒部２１と、内筒部３０と、連通路３６と、弁体としてのストッパ３７と、弁体としてのフロートボール３８と、を備える。
【００５２】
連通路３６は、図４に示すように、区画パイプ１５の内部、フィルタ５０の内部及び塩水バルブ２０の内部に、流体（塩水及び補給水）の流路として形成されている。つまり、連通路３６は、区画パイプ１５の流通穴１６と、塩水タンク７の外部としての塩水ラインＬ４（図１参照）とを、区画パイプ１５の内部、フィルタ５０の内部（後述の第２開口部５１ａ及び後述の固定部５１の内部を含む）及び塩水バルブ２０の内部（後述の内筒収容部２５、連通穴３４、ボール収容部３２ａ、第１開口部２２ａを含む）を介して連通する。
【００５３】
外筒部２１は、塩水タンク７の開口部９に固定され、内筒部３０を内部に収容すると共に、フィルタ５０を保持する。また、外筒部２１は、区画パイプ１５を上下動自在に支持する。外筒部２１は、塩水タンク７の凹部９ａに装着される装着部２２と、装着部２２から一方側（下側）に延びる塩水ライン接続部２３と、装着部２２から他方側（上側）に延びるパイプ接続部２４と、パイプ接続部２４の先端（上端）に設けられ、フィルタ５０を保持するフィルタ保持部２９と、を有する。
【００５４】
装着部２２は、略有底円筒状に形成されている。装着部２２は、この円筒の底部の中心に開口された第１開口部２２ａと、第１開口部２２ａの周縁部に設けられたパッキン２２ｂと、円筒外周面に設けられたパッキン２２ｃと、を有する。装着部２２は、この円筒の底部を上方にして凹部９ａに装着される。
【００５５】
第１開口部２２ａは、塩水タンク７の開口部９と連通する。第１開口部２２ａは、連通路３６の一部を構成する。パッキン２２ｂは、フロートボール３８の弁座部を構成し、フロートボール３８と第１開口部２２ａとの間の隙間を塞ぐ。パッキン２２ｃは、装着部２２と塩水タンク７の凹部９ａとの間の隙間を塞ぐ。
【００５６】
塩水ライン接続部２３は、塩水ラインＬ４（図１参照）を構成する配管（図示せず）と接続される部分である。塩水ライン接続部２３は、装着部２２から一方側（下側）に延びる円筒からなり、この円筒の内部も第１開口部２２ａを構成している。つまり、塩水バルブ２０は、この塩水ライン接続部２３を介して塩水ラインＬ４と接続される。
【００５７】
パイプ接続部２４は、内筒部３０を収容すると共に、区画パイプ１５を上下動自在に支持する部分である。パイプ接続部２４は、装着部２２から他方側（上側）に延びる円筒からなり、区画パイプ１５に挿入可能な外径を有する。
パイプ接続部２４は、図４及び図５に示すように、内筒部３０を収容する内筒収容部２５と、区画パイプ１５の突起部１８が係合する第１係合部としての螺旋溝部２６と、後述するシール部材４０を装着するシール溝部２７と、を有する。
【００５８】
内筒収容部２５は、パイプ接続部２４の内部に設けられ、内筒部３０が収容される。内筒収容部２５の内周面と内筒部３０の外周面との間に、連通路３６の一部を構成する。
【００５９】
螺旋溝部２６は、図４及び図５に示すように、区画パイプ１５の突起部１８が係合可能な溝状に形成されている。螺旋溝部２６は、パイプ接続部２４の外周面に沿って螺旋状に一周設けられている。つまり、螺旋溝部２６は、区画パイプ１５を塩水バルブ２０の軸方向に対して１回転できるように設けられている。従って、区画パイプ１５を、塩水バルブ２０の軸方向回りに所定量回転させることにより、区画パイプ１５を塩水バルブ２０の軸方向に対して上方又は下方に所定距離移動することができる。
【００６０】
また、螺旋溝部２６は、図５に示すように、突起部１８の移動を規制する規制部としてのストッパ部２６ａ，２６ｂを有する。ストッパ部２６ａは、螺旋溝部２６における突起部１８の移動方向に沿った上端部に設けられている。このストッパ部２６ａは、区画パイプ１５の必要以上の回転を規制し、区画パイプ１５が上方に移動し過ぎて塩水バルブ２０から脱落することを抑制する。ストッパ部２６ｂは、螺旋溝部２６における突起部１８の移動方向に沿った下端部に設けられている。このストッパ部２６ｂは、区画パイプ１５の必要以上の回転を規制し、区画パイプ１５が下方に移動し過ぎることを抑制する。
【００６１】
シール溝部２７は、パイプ接続部２４の上部の外周面に溝状に設けられている。シール部材４０は、例えば、所定の弾性を有するゴム製部材からなり、区画パイプ１５の内周面とパイプ接続部２４の外周面との間の隙間を塞ぐ。シール部材４０としては、例えば、Ｘリング、Ｏリング等が挙げられる。
【００６２】
フィルタ保持部２９は、図４に示すように、内筒収容部２５に収容されたフィルタ５０を保持する部材である。フィルタ保持部２９は、パイプ接続部２４の先端（上端）から上方に延びている。
【００６３】
以上のように構成される外筒部２１は、塩水に対して耐腐食性を有する材料で形成されている。外筒部２１の材料としては、例えば、ＡＢＳ樹脂や塩化ビニール樹脂等が挙げられる。
【００６４】
内筒部３０は、ストッパ３７及びフロートボール３８を収容し、外筒部２１の内筒収容部２５に収容される。内筒部３０は、ストッパ３７を収容するストッパ収容部３１ａを内部に有する第１円筒部３１と、フロートボール３８を収容するボール収容部３２ａを内部に有する第２円筒部３２と、ストッパ収容部３１ａとボール収容部３２ａとを区画する区画部３３と、からなる。
【００６５】
第１円筒部３１は、有底円筒状に形成され、上部を開口されている。第１円筒部３１の内部は、ストッパ収容部３１ａを構成する。第１円筒部３１の底部は、区画部３３を構成する。第１円筒部３１の外周面と、パイプ接続部２４の内周面との間には、後述するフィルタ５０の固定部５１を配置可能な隙間が形成されている。
【００６６】
第２円筒部３２は、円筒状に形成され、区画部３３から下方に延びている。第２円筒部３２は、下部を開口され、前記第１開口部２２ａと連通している。第２円筒部３２の内部は、ボール収容部３２ａを構成する。第２円筒部３２の外径は、第１円筒部３１の外径よりも大きくなっている。第２円筒部３２の側面の下端部には、第２円筒部３２の内部（ボール収容部３２ａ）と外部とを連通する連通穴３４を有する。連通穴３４は、連通路３６の一部を構成する。
【００６７】
以上のように構成される内筒部３０は、塩水に対して耐腐食性を有する材料で形成されている。内筒部３０の材料としては、例えば、ＡＢＳ樹脂や塩化ビニール樹脂等が挙げられる。
【００６８】
ストッパ３７は、第２開口部５１ａ（後述）を開閉する。ストッパ３７は、先細の円柱状に形成され、フロートロッド１１の下端部に接続されている。ストッパ３７は、ストッパ収容部３１ａに上下動自在に収容され、かつ、フィルタ５０の固定部５１（後述）に上方から覆われている。
【００６９】
ストッパ３７は、補水工程において、水位上昇によるフロート１０の上昇に伴って上昇し、塩水の水面ＷＳが所定の上限位置に達したときに、第２開口部５１ａ（後述）を閉塞する。また、ストッパ３７は、再生工程において、前記エゼクタからの負圧によって吸引されて下降し、第２開口部５１ａ（後述）を開放する。
【００７０】
フロートボール３８は、ボール収容部３２ａ内の水位に応じて連通路３６を開閉する。つまり、フロートボール３８は、ボール収容部３２ａ内の水位に応じて第１開口部２２ａを開閉する。
フロートボール３８は、補給水（原水）よりも比重が小さい材料によって球状に構成されている。フロートボール３８の直径は、ボール収容部３２ａの内径よりも若干小さく、かつ、第１開口部２２ａの内径よりも大きくなっている。
【００７１】
次に、フィルタ５０について説明する。フィルタ５０は、図４に示すように、塩水バルブの上部に設けられ、補給水及び塩水に含まれる不純物を濾過する。フィルタ５０は、固定部５１と、フィルタ部５２と、を有する。
固定部５１は、略有底円筒状に形成されている。固定部５１は、この円筒の底部の中心に開口された第２開口部５１ａと、第２開口部５１ａの内周縁部に設けられたパッキン５３と、円筒の外周面に設けられたパッキン５４と、を有する。
【００７２】
固定部５１は、この円筒の底部を上方にしてフィルタ保持部２９に保持される。固定部５１の外径は、パイプ接続部２４の内径と略同一となっている。固定部５１の内径は、塩水バルブ２０の第１円筒部３１の外径よりも大きくなっている。
【００７３】
固定部５１の下端部と第２円筒部３２の上部との間には、所定の隙間が形成されている。この隙間は、連通路３６の一部を構成する。固定部５１の内周面と第１円筒部３１の外周面との間にも、所定の隙間が形成されている。この隙間は、連通路３６の一部を構成する。
第２開口部５１ａは、連通路３６の一部を構成し、フィルタ部５２を介して区画パイプ１５の流通穴１６に連通する。
【００７４】
フィルタ部５２は、微細な穴を多数有し、補給水及び塩水に含まれる不純物を濾過する。フィルタ部５２は、円筒状に形成されている。フィルタ部５２は、固定部５１から同軸状に上方に延び、第２開口部５１ａと連通している。フィルタ部５２の上部の中心には、フロートロッド１１が挿通可能な挿通穴５２ａが設けられている。
【００７５】
パッキン５３は、ストッパ３７の弁座部を構成し、ストッパ３７と第２開口部５１ａとの間の隙間を塞ぐ。パッキン５４は、固定部５１の外周面とパイプ接続部２４の内周面との間の隙間を塞ぐ。
【００７６】
次に、本実施形態の塩水供給装置４における再生工程及び補水工程の作用について図１、図７から図１０を参照しながら説明する。図７は、再生工程における塩水バルブ２０を示す拡大断面図である。図８は、再生工程の終了時における塩水バルブ２０を示す拡大断面図である。図９は、補水工程における塩水バルブ２０を示す拡大断面図である。図１０は、補水工程の終了時における塩水バルブ２０を示す拡大断面図である。
【００７７】
先ず、再生工程の開始前の塩水バルブ２０の作用について説明する。図１０は、再生工程の開始前の塩水バルブ２０を示す図ではないが、説明の便宜上、この図１０を参照しながら説明する。
【００７８】
再生工程の開始前には、塩水の水面ＷＳは、図１０に示すように、所定の上限位置になっている。このとき、区画パイプ１５の流通穴１６は、塩水の水面ＷＳよりも下方に位置し、連通路３６及びボール収容部３２ａは塩水で満たされているので、フロートボール３８は、ボール収容部３２ａ内で浮上している。そのため、第１開口部２２ａは、開放されており、塩水ラインＬ４（図１参照）と連通路３６とは、連通している。フロート１０は、水面ＷＳに浮上しているので、ストッパ３７は、第２開口部５１ａを閉塞している。
【００７９】
次に、再生工程について図１、図３、図７及び図８を参照しながら説明する。コントロールバルブ３（図１参照）は、前記制御部から再生工程の開始指令を受けると、再生工程用の流路に切り換えると共に、前記エゼクタにより負圧を発生させる。この負圧により、塩水ラインＬ４（図１参照）及び連通路３６も負圧となるので、図７に示すように、ストッパ３７が吸引されて下降し、第２開口部５１ａが開放される。
【００８０】
そのため、塩水貯留部７ｂの塩水は、吸引され、流通穴１６、フィルタ５０、連通路３６（第２開口部５１ａ、連通穴３４、第１開口部２２ａ等を含む）及び塩水ラインＬ４を経てコントロールバルブ３に導入され、更に通水ラインＬ３ａ及び処理水ラインＬ３（図１参照）を介して樹脂筒２（図１参照）内に導入される。樹脂筒２内に導入された塩水は、イオン交換樹脂を再生させる。
【００８１】
そして、再生工程の進行により塩水タンク７内の塩水の水位が次第に低下し、図８に示すように、塩水の水面ＷＳが流通穴１６の開口下部１６ａに達すると、塩水貯留部７ｂの塩水は吸引されなくなり、塩水バルブ２０内に残留している塩水が吸引される。この吸引によって、塩水バルブ２０内に塩水がなくなるのと略同時に、フロートボール３８が第１開口部２２ａを閉塞するので、空気の吸い込みが抑制される。
【００８２】
次に、補水工程について図１、図９及び図１０を参照しながら説明する。前記再生工程の実施によって、塩水供給装置４の塩水が一定量消費される。このため、補水工程では、この消費量に相当する塩水を塩水供給装置４で生成するために、所定量の補給水を塩水供給装置４に以下のように供給する。
【００８３】
補水工程前は、塩水バルブ２０内に塩水がないので、第１開口部２２ａは、フロートボール３８によって閉塞されている。また、塩水の水面ＷＳは、流通穴１６の開口下部１６ａに位置するので（図８参照）、フロート１０は、水面ＷＳに浮上しておらず、第２開口部５１ａは、開放されたままとなっている。
【００８４】
コントロールバルブ３（図１参照）は、前記制御部から補水工程の開始指令を受けると、補水工程用の流路に切り換えると共に、原水導入ラインＬ１、塩水ラインＬ４（図１参照）及び塩水バルブ２０を介して塩水貯留部７ｂに補給水を供給する。
【００８５】
フロートボール３８は、コントロールバルブ３から供給された補給水によって押し上げられる。これにより、第１開口部２２ａは、開放される。
そして、図９に示すように、補給水は、連通路３６（第１開口部２２ａ、連通穴３４、第２開口部５１ａ等を含む）、フィルタ５０及び流通穴１６を経て塩水貯留部７ｂに貯留される。
【００８６】
補給水が塩水貯留部７ｂに貯留されるに従い、塩水貯留部７ｂ内の水位は徐々に上昇し、区画パイプ１５の内部のフロート１０も上昇する。ストッパ３７は、フロートロッド１１によってフロート１０と連結されているので、フロート１０と共に上昇する。
そして、図１０に示すように、塩水貯留部７ｂ内の水位（水面ＷＳ）が所定の上限値に達すると、ストッパ３７は、第２開口部５１ａを閉塞する。これにより、塩水貯留部７ｂへの補給水の供給が停止される。
【００８７】
このように、塩水貯留部７ｂへ供給された補給水と塩載置プレート８上の塩Ｓが接触することにより、塩Ｓが補給水に溶解し、所定濃度の塩水が生成される。
【００８８】
次に、区画パイプ１５を塩水バルブ２０の軸方向に対して上方に移動させ、水面ＷＳに対する流通穴１６の位置を変更する方法について、図５及び図１１を参照しながら説明する。図１１（ａ）から（ｃ）は、水面ＷＳに対する流通穴１６の位置を変更する過程を示す図である。
【００８９】
具体的には、図１１（ａ）は、水面ＷＳに対する流通穴１６の位置が最も遠い場合を示している。図１１（ｂ）は、区画パイプ１５を、図１１（ａ）に示す状態から所定方向に半回転させた状態を示している。図１１（ｃ）は、区画パイプ１５を、図１１（ｂ）に示す状態から所定方向に更に半回転させた状態を示している。図１１中の符号Ｄ１、Ｄ２及びＤ３は、水面ＷＳと流通穴１６の開口下部１６ａとの距離を示し、これらの大小関係は、Ｄ１＞Ｄ２＞Ｄ３となっている。
【００９０】
図１１（ａ）に示すように、区画パイプ１５は、水面ＷＳに対する流通穴１６の位置が最も遠くなるように塩水バルブ２０に装着されている。このとき、区画パイプ１５の突起部１８は、塩水バルブ２０の螺旋溝部２６におけるストッパ部２６ｂ（図５参照）によって、螺旋方向下向きに移動し過ぎることを抑制されている。従って、区画パイプ１５が、塩水バルブ２０の軸方向に対して下方に移動し過ぎることを抑制することができる。
【００９１】
再生工程時において塩水供給装置４から樹脂筒２に供給される塩水量を、図１１（ａ）に示す場合よりも、所定量（例えば、全供給量の１０％）減らしたい場合には、図１１（ｂ）に示すように、区画パイプ１５を、図１１（ａ）に示す状態から所定方向に半回転させ、塩水バルブ２０の軸方向に対して上方に移動させる。これにより、流通穴１６の開口下部１６ａも上方に移動し、距離Ｄ２は、図１１（ａ）の場合の距離Ｄ１よりも小さくなる。従って、樹脂筒２に供給される塩水量を容易に減らすことができる。
【００９２】
また、再生工程時において塩水供給装置４から樹脂筒２に供給される塩水量を、図１１（ｂ）に示す場合よりも、更に所定量（例えば、全供給量の１０％）減らしたい場合には、図１１（ｃ）に示すように、区画パイプ１５を、図１１（ｂ）に示す状態から所定方向に半回転させ、塩水バルブ２０の軸方向に対して上方に移動させる。これにより、流通穴１６の開口下部１６ａも上方に移動し、距離Ｄ３が、図１１（ｂ）の場合の距離Ｄ２よりも小さくなる。従って、樹脂筒２に供給される塩水量を、図１１（ｂ）に示す場合よりも更に所定量減らすことができる。
【００９３】
また、このとき、区画パイプ１５の突起部１８は、塩水バルブ２０の螺旋溝部２６におけるストッパ部２６ａ（図５参照）によって、螺旋方向上向きに移動し過ぎることを抑制されている。そのため、区画パイプ１５が必要以上に回転され、区画パイプ１５が上方に移動し過ぎて、塩水バルブ２０から脱落することを抑制することができる。
【００９４】
以上のように、水面ＷＳに対する流通穴１６の位置を変更する方法について、説明の便宜上、区画パイプ１５を塩水バルブ２０の軸方向に対して上方にのみ移動させる場合を例にして説明したが、これに限定されない。例えば、区画パイプ１５の基準位置（距離Ｄ２が初期設定となる位置）を図１１（ｂ）に示す位置に予め設定する。塩水供給量を現状よりも所定量増やしたい場合には、区画パイプ１５を、図１１（ｂ）に示す状態から所定方向に半回転させ、塩水バルブ２０の軸方向に対して下方に移動させることによって、図１１（ａ）に示す距離Ｄ１（＞距離Ｄ２）を設定する。
【００９５】
一方、塩水供給量を現状よりも所定量減らしたい場合には、区画パイプ１５を、図１１（ｂ）に示す状態から所定方向に半回転させ、塩水バルブ２０の軸方向に対して上方に移動させることによって、図１１（ｃ）に示す距離Ｄ３（＜距離Ｄ２）を設定する。
このように、区画パイプ１５の基準位置を、区画パイプ１５が軸方向に移動可能な上限位置と下限位置との中間に設定しておくことにより、現状の塩水供給量を容易に増減することができる。
【００９６】
以上のように、本実施形態の塩水供給装置４によれば、以下に示す各効果が奏される。
本実施形態の塩水供給装置４は、塩収容部７ａ及び塩水貯留部７ｂを有する塩水タンク７と、フロート１０と、流通穴１６を有する区画パイプ１５と、連通路３６、ストッパ３７及びフロートボール３８を有する塩水バルブ２０と、を備え、区画パイプ１５が塩水バルブ２０に対して上下動自在に構成されている。
【００９７】
そのため、区画パイプ１５を塩水バルブ２０に対して上下動させることにより、塩水タンク７内の塩水の水面ＷＳに対する流通穴１６の位置を変更することができる。これにより、再生工程時において塩水供給装置４から樹脂筒２に供給される塩水量を容易に増減することができるので、塩Ｓの消費量を容易に調節することができ、塩Ｓの補充メンテナンス等を効率よく実施することができる。
従って、本実施形態によれば、塩水供給量を容易に変更することができる軟水装置１の塩水供給装置４を提供することができる。
【００９８】
また、塩水供給装置４の塩水バルブ２０は、外周面に螺旋溝部２６を有し、区画パイプ１５は、螺旋溝部２６に係合しかつ螺旋溝部２６に沿って移動可能な突起部１８を内周面に有し、突起部１８を螺旋溝部２６に係合させて塩水バルブ２０に接続されている。そのため、区画パイプ１５を、塩水バルブ２０の軸方向回りに所定量回転させることにより、区画パイプ１５を塩水バルブ２０の軸方向に対して上方又は下方に所定距離移動することができる。従って、塩水タンク７内の塩水の水面ＷＳに対する流通穴１６の位置を容易に変更することができる。
【００９９】
また、塩水供給装置４は、塩水バルブ２０と区画パイプ１５との間の隙間を塞ぐシール部材４０を更に備える。そのため、再生工程時に、塩水が流通穴１６以外の箇所から塩水バルブ２０内に吸引されることを抑制することができる。従って、塩水供給装置４は、正確な塩水供給量を規定することができる。
【０１００】
また、シール部材４０は、所定の弾性を有するので、区画パイプ１５の内周面に対して所定の押圧力を付与することができる。そのため、区画パイプ１５を塩水バルブ２０の軸方向に対して所定量移動して位置決めしたときに、区画パイプ１５の位置を保持することができる。
【０１０１】
また、塩水バルブ２０の螺旋溝部２６は、突起部１８の上方への移動を規制するストッパ部２６ａと、突起部１８の下方への移動を規制するストッパ部２６ｂと、を有する。
そのため、ストッパ部２６ａは、区画パイプ１５の必要以上の回転を規制し、区画パイプ１５が上方に移動し過ぎて塩水バルブ２０から脱落することを抑制することができる。
また、ストッパ部２６ｂは、区画パイプ１５の必要以上の回転を規制し、区画パイプ１５が下方に移動し過ぎることを抑制することができる。
【０１０２】
また、塩水供給装置４は、フィルタ５０を更に備える。そのため、フィルタ５０によって補給水及び塩水に含まれる不純物を濾過することができる。従って、不純物の含まれた塩水が塩水供給装置４から樹脂筒２に供給されることを抑制することができると共に、不純物の含まれた補給水が塩水貯留部７ｂに供給されることを抑制することができる。
【０１０３】
以上、本発明の一実施形態について説明したが、本発明は、前述した実施形態に制限されるものではなく、適宜変更が可能である。
【０１０４】
例えば、前記実施形態においては、第１係合部としての螺旋溝部２６と第２係合部としての突起部１８とを係合させることによって、区画パイプ１５を塩水バルブ２０に対して上下動自在に構成するものとして説明したが、これに限定されない。区画パイプ１５が塩水バルブ２０に対して上下動自在であれば、区画パイプ１５及び塩水バルブ２０は、どのような構成であってもよい。
【０１０５】
また、前記実施形態においては、塩水バルブ２０に第１係合部としての螺旋溝部２６を設け、区画パイプ１５に第２係合部としての突起部１８を設けるものとして説明したが、これに限定されない。例えば、塩水バルブ２０に突起部を設け、この突起部に係合する所定の溝部を区画パイプ１５に設けることもできる。この場合、前記実施形態の場合と同様の効果を奏することができる。
【０１０６】
また、前記実施形態においては、第１係合部としての螺旋溝部２６は、パイプ接続部２４の外周面に沿って螺旋状に一周設けられるものとして説明したが、これに限定されない。例えば、螺旋溝部２６は、パイプ接続部２４の外周面に沿って螺旋状に２周以上設けることができる。この場合、再生工程時において塩水供給装置４から樹脂筒２に供給される塩水量を、前記実施形態の場合よりも更に増減することができる。
【０１０７】
また、前記実施形態においては、第１係合部としての螺旋溝部２６を、パイプ接続部２４の外周面に沿って螺旋状に設けるものとして説明したが、これに限定されない。例えば、第１係合部を、パイプ接続部２４の外面において上下方向（塩水バルブ２０の軸方向）に延びるように設けることができる。この場合、前記実施形態の場合と同様の効果を奏することができる。
【０１０８】
また、前記実施形態においては、塩水タンク７は、塩載置プレート８によって内部を、塩収容部７ａと塩水貯留部７ｂとに区画され、塩水を生成可能に構成されるものとして説明したが、これに限定されない。例えば、塩収容部７ａに収容されている塩Ｓが、塩水貯留部７ｂに貯留されている水に接触可能に構成されていればよい。この場合、前記実施形態の場合と同様の効果を奏することができる。
【０１０９】
また、前記実施形態においては、補給水及び塩水に含まれる不純物を濾過するフィルタ５０を塩水バルブ２０によって保持し、連通路３６の一部として設けるものとして説明したが、これに限定されない。例えば、区画パイプ１５の流通穴１６や塩水バルブ２０の塩水ライン接続部２３等にフィルタを設けてもよい。この場合、前記実施形態の場合と同様の効果を奏することができる。
【０１１０】
また、前記実施形態においては、区画パイプ１５を塩水バルブ２０に対して上下動させることにより、再生工程時において塩水供給装置４から樹脂筒２に供給される塩水量を増減させるものとして説明したが、これに限定されない。
【０１１１】
例えば、図１２に示すように、前記実施形態の構成に加え、更にフロートロッド１１に対してフロート６０を上下動可能に構成することにより、フロート６０とストッパ３７（図示せず）との距離を変更可能に構成してもよい。図１２は、本実施形態の変形例のフロートを示す拡大断面図である。
【０１１２】
図１２に示すように、区画パイプ１５は、上端が開口され、この開口を塞ぐ蓋部１５ａを有する。フロート６０は、フロート本体部６１と、保持部６２と、摺動部６３と、操作歯車部６４と、シール部材６５と、を備える。フロート本体部６１は、有底円筒状に構成され、この底部を上側にして水面ＷＳに浮上可能に構成されている。保持部６２は、円筒状に構成され、フロート本体部６１の軸方向に同軸状に延びている。
【０１１３】
保持部６２は、側面に開口された開口部６２ａと、この開口部６２ａの近傍に設けられた支持部６２ｂと、を有する。開口部６２ａには、操作歯車部６４の一部が挿通される。支持部６２ｂは、操作歯車部６４の回転軸（図示せず）を回転自在に支持する。
【０１１４】
摺動部６３は、略円柱状に構成され、フロートロッド１１の上端部に固定されている。摺動部６３は、保持部６２内を摺動可能に構成されている。摺動部６３は、側面に、軸方向に延びるラックギヤ部６３ａを有する。ラックギヤ部６３ａは、操作歯車部６４と螺合している。シール部材６５は、摺動部６３の外側に取り付けられ、摺動部６３の外周面と保持部６２の内周面との間の隙間を塞ぐ。
【０１１５】
操作歯車部６４は、支持部６２ｂによって水平方向に延びる軸を中心に回転自在に支持され、ラックギヤ部６３ａと螺合している。つまり、操作歯車部６４を手指で所定方向に回転させることにより、摺動部６３は保持部６２内を摺動する。
そのため、本変形例によれば、フロート６０とストッパ３７（図示せず）との距離を変更することができ、前記実施形態の場合と同様の効果を奏するほか、塩水供給量を更に詳細に変更することができる。
【符号の説明】
【０１１６】
Ｓ  塩
ＷＳ  水面
１  軟水装置
４  塩水供給装置
７  塩水タンク
７ａ  塩収容部
７ｂ  塩水貯留部
１０，６０  フロート
１１  フロートロッド（連結軸部材）
１５  区画パイプ（区画部材）
１６  流通穴
１８  突起部（第２係合部）
２０  塩水バルブ
２６  螺旋溝部（第１係合部）
２６ａ，２６ｂ  ストッパ部（規制部）
３６  連通路
３７  ストッパ（弁体）
３８  フロートボール（弁体）
４０  シール部材
５０  フィルタ
【図１】
2011031214.tif 000003
【図２】
2011031214.tif 000004
【図３】
2011031214.tif 000005
【図４】
2011031214.tif 000006
【図５】
2011031214.tif 000007
【図６】
2011031214.tif 000008
【図７】
2011031214.tif 000009
【図８】
2011031214.tif 000010
【図９】
2011031214.tif 000011
【図１０】
2011031214.tif 000012
【図１１】
2011031214.tif 000013
【図１２】
2011031214.tif 000014